(57)【特許請求の範囲】
【請求項１】
外側ソケットの内側に内側ソケットを軸方向に相対移動可能に設けた多径締付ソケットにおいて、前記内側ソケットは外側ソケットの嵌合孔の頂角部に嵌り込む複数の個別に交換可能なソケットピンを備え、前記外側ソケットの嵌合孔を形成する頂角部間の側面は内方に膨出した曲面とされ、前記ソケットピンは内側面が内方に膨出した曲面で、前記外側ソケットの頂角部間の側面に対向する側面を平面とした断面略扇状をなし、前記ソケットピンの側面と外側ソケットの頂角部間の側面とが点接触することを特徴とする多径締付ソケット。
【発明の詳細な説明】
【０００１】
【発明の属する技術分野】
本発明は径が異なる２種類の締結部材（ボルトなど）を締付ける（緩める）ことを可能とした多径締付ソケットに関する。
【０００２】
【従来の技術】
ナットランナーなどの先端に取付けるソケットとして、２種類の径の異なる締結部材に対応できるものが、実開昭５６−４２８７０号公報、特開平８−２５７９２７号公報、特開平１１−２０７６４４号公報に開示されている。
【０００３】
上記先行技術に開示される多径締付ソケットは図５（ａ）に示すように、外側ソケット１００の内側に内側ソケット１０１を軸方向に相対移動可能に配置し、小径のボルトを締付ける場合には、図５（ａ）に示すように内側ソケット１０１を前進させた位置で固定し、大径のボルトを締付ける場合には、図５（ｂ）に示すように内側ソケット１０１を後退させた位置で固定する構成にしている。
【０００４】
【発明が解決しようとする課題】
上述した従来の多径締付ソケットにあっては、内側ソケットの一部が摩耗しても内側ソケット全体を交換しなければならず、コスト的に問題がある。
また従来の多径締付ソケットにあっては、外側ソケットと内側ソケットとが面接触しているため、切替時に内側ソケットを軸方向に相対移動させる際の抵抗が大きく引っ掛かってしまうことがある。
同様に、従来の多径締付ソケットにあっては、外側ソケット及び内側ソケットのいずれも嵌合孔の側面がボルト頭部の側面と平行な平面であるので、ボルト頭部を嵌合させる際にうまく入り込まないことがある。
【０００５】
【課題を解決するための手段】
上記課題を解決するため本発明に係る多径締付ソケットは、内側ソケットに外側ソケットの嵌合孔の頂角部に嵌り込む複数のソケットピンを設け、このソケットピンを個別に交換可能とした。
上記構成とすることで、摩耗したソケットピンのみを交換すればよいことになる。
【０００６】
また、前記外側ソケットの嵌合孔の形状としては、頂角部間の側面を内方に膨出した曲面とし、前記ソケットピンの形状としては断面略扇状をなす構成が考えられる。このようにすることでソケットピンを外側ソケットの嵌合孔の頂角部内に入れやすくなる。
【０００７】
また、外側ソケットの嵌合孔内面とソケットピン外面とは断面において点接触する構成とすることが好ましい。点接触にすることで、切替時の引っ掛かりをなくすことができる。
【０００８】
【発明の実施の形態】
以下に本発明の実施の態様を添付図面に基づいて説明する。図１は本発明に係る多径締付ソケットの要部を断面とした全体図、図２は図１のＡ方向矢視図、図３は図１のＢ−Ｂ方向断面図、図４はソケットピンの斜視図である。
多径締付ソケットは一端をナットランナへの差込み部１とし、他端を拡径して外側ソケット２としている。外側ソケット２にはボルト頭部などが嵌り込む嵌合孔３が形成されている。本実施例にあっては、嵌合孔３は六角形状をなしているが多角形であればよい。
【０００９】
また、図２に示すように、嵌合孔３の頂角部３ａ，３ａ間の側面３ｂは内方に膨出した曲面となっている。このように側面３ｂが曲面となっているため、頂角は約９０°になっている。
【００１０】
また、多径締付ソケットの中間部には前記嵌合孔３につながる凹部４が軸方向に形成され、この凹部４内に内側ソケット５の一部となるインナーピン６が挿入されている。インナーピン６には軸方向の長孔７、周方向の溝部８、基端部の面取り部９、先端部近傍の溝部１０が形成され、前記長孔７に係止ピン１１を挿通している。そして、インナーピン６は凹部４内に縮装したスプリング１２にて突出方向に付勢されるが、前記係止ピン１１により凹部４内に止まる。尚、係止ピン１１は多径締付ソケットの中間部を貫通しているが、この係止ピン１１が多径締付ソケットから抜けるのを防止するため、多径締付ソケットの中間部の外周にリング１３を設けている。
【００１１】
また、前記インナーピン６の溝部１０にはＣリング１４を介して、複数のソケットピン１５を取付けている。これらソケットピン１５は前記外側ソケット２の嵌合孔３の頂角部３ａ内に嵌り込む。
【００１２】
ここで、ソケットピン１５は図４に示すように、全体として断面が扇状の棒状をなし、内側面１５ａは内方へ膨出した曲面となっており、前記嵌合孔３の側面３ｂと対向する面１５ｂは平面となっており、２つの面１５ｂ、１５ｂがなす角は約９０°となっている。尚、１５ｃはＣリング１４の係止溝である。
【００１３】
尚、前記嵌合孔３の頂角部３ａの角度も約９０°であるので、スムーズに頂角部３ａ内にソケットピン１５が入り込む。更に頂角部３ａをなす側面３ｂは内方に膨出した曲面となっており、ソケットピン１５の面１５ｂは平面であるので、両者は断面において点接触の状態になる。したがって、ソケットピン１５が嵌合孔３に沿って摺動する際の抵抗は極めて小さい。
【００１４】
また、前記多径締付ソケットの中間部には周方向に９０°離間した４箇所に穴１６を形成し、この穴１６にスチールボール１７を装填し、この外側を筒体１８で保持している。筒体１８はソケットの外周面に軸方向に摺動自在とされ、ソケットの一部に設けた受け部材１９と筒体１８との間にスプリング２０を縮装することで、先端が前記リング１３に当接する方向に付勢され、更に筒体１８の先端部内側には大径凹部２１が形成されている。
【００１５】
以上において、小径のボルトなどを締付ける場合には、図１に示すように、スプリング１２の弾発力で内側ソケット５を突出せしめてソケットピン１５の先端と外側ソケット２の先端を揃え、且つスチールボール１７をインナーピン６の面取り部９に当てて内側ソケット５が後退するのを阻止した状態で使用する。
【００１６】
一方、大径のボルトなどを締付ける場合には、図１に示す状態から、筒体１８をスプリング２０に抗して若干後退せしめ、筒体１８の大径凹部２１をスチールボール１７の位置に一致させ、この状態で内側ソケット５（インナーピン６）を押し込む。そして、インナーピン６の溝部８とスチールボール１７とが一致した時点で筒体１８をスプリング２０の弾発力で前進せしめてロックする。これによりソケットピン１５が後退し、外側ソケット２の嵌合孔３が現れる。
【００１７】
更に、以上の多径締付ソケットの特定のソケットピンが摩耗した場合や、異なる形状のソケットピンに交換して別の径のボルトなどに対応するには分解する必要がある。
分解の手順としては、先ずソケット外周の受け部材１９を外し、筒体１８及びリング１３を軸方向に沿って抜き、係止ピン１１をインナーピン６の長孔７から引き抜く。この後、内側ソケット５（インナーピン６とソケットピン１５）を前方から取り出し、ソケットピン１５を所定のソケットピンと交換し、前記と逆の手順で再度組付ける。
【００１８】
【発明の効果】
以上に説明したように、本発明によれば外側ソケットの内側に設ける内側ソケットを一体形状とせずに、複数のソケットピンのそれぞれを外側ソケットの嵌合孔の頂角部に嵌め込むようにしたので、摩耗した場合には摩耗したソケットピンのみを交換すればよいのでコスト的に有利である。
【００１９】
また、外側ソケットの嵌合孔の頂角部間の側面を内方への膨出曲面とし、前記ソケットピンを断面略扇状とすることで、ソケットピンの収まりがスムーズになり、更に、外側ソケットとソケットピンとが断面において点接触するようにすれば、切替時の引っ掛かりをなくすことができる。
【図面の簡単な説明】
【図１】本発明に係る多径締付ソケットの要部を断面とした全体図
【図２】図１のＡ方向矢視図
【図３】図１のＢ−Ｂ方向断面図
【図４】ソケットピンの斜視図
【図５】（ａ）及び（ｂ）は従来の多径締付ソケットの要部を示す断面図
【符号の説明】
１…ナットランナへの差込み部、２…外側ソケット、３…嵌合孔、３ａ…嵌合孔の頂角部、３ｂ…嵌合孔の側面、４…凹部、５…内側ソケット、６…インナーピン、７…長孔、８…周方向の溝部、９…面取り部、１０…溝部、１１…係止ピン、１２…スプリング、１３…リング、１４…Ｃリング、１５…ソケットピン、１５ａ…ソケットピンの内側面、１５ｂ…側面、１５ｃ…係止溝、１６…穴、１７…スチールボール、１８…筒体、１９…受け部材、２０…スプリング、２１…大径凹部。
【図１】
0004172940.tif 000002
【図２】
0004172940.tif 000003
【図３】
0004172940.tif 000004
【図４】
0004172940.tif 000005
【図５】
0004172940.tif 000006